(57)【要約】【課題】  非健常者が出力紙を持ち運ぶ際の操作性向上を目的とする。【解決手段】  フィニッシャーの既存のスタックトレイの上に着脱自在な箱状の排紙積載ボックスを備えて、ボックスには把手部を設け持ち運び可能とする。【選択図】  図１
2006151668.tif 000002
【特許請求の範囲】
【請求項１】
画像形成装置より排出されたシートを積載するシート積載トレイにおいて、シート積載トレイはシート搬入口のみを開口し、他の面は箱状に覆われたボックス形状であり、画像形成装置のシート排出口に対して着脱自在に配置され、運搬用の把手部を備えることを特徴とするシート積載ボックス。
【請求項２】
画像形成装置より排出されたシートにステイプル等の後処理を行い排出するシート後処理装置の既存のシート積載トレイに対して、上記第１項記載のシート積載ボックスを着脱自在に配置したことを特徴とする、シート後処理装置。
【請求項３】
シート排出口または既存のシート積載トレイに着脱自在に配置されたシート積載ボックスにおいて、シート排出口または既存のシート積載トレイに装着することによりシート搬入口が開口し、取り外すことにより閉口することを特徴とする上記第１項および第２項記載のシート積載ボックス。
【請求項４】
画像形成装置およびシート後処理装置から排出されたシートを、シート積載ボックスの上面外側にも積載可能であることを特徴とする第２項記載のシート後処理装置。
【請求項５】
シート排出口または既存のシート積載トレイに着脱自在に配置されたシート積載ボックスにおいて、その装着を検出する着脱検知手段を備えることを特徴とする上記第１項および第２項記載のシート積載ボックス。
【請求項６】
シート排出口または既存のシート積載トレイに着脱自在に配置されたシート積載ボックスにおいて、装着されたシート積載ボックスの種類を検出する検出手段を備えることを特徴とする上記第５項記載のシート積載ボックス。
【請求項７】
前記画像形成装置によってシートに形成する画像の情報を入力する入力手段と、前記入力手段によって入力された情報が特定のユーザーによるものであることを判別する判別手段とを有し、
シート積載ボックスの装着を検出した場合には、あらかじめ指定された特定ユーザーの出力シートのみをシート積載ボックスに搬入するような制御手段を備えることを特徴とする上記第５項、第６項のシート積載ボックス。
【請求項８】
請求項３に記載のシート積載ボックスを備えることを特徴とするシート後処理装置。
【請求項９】
請求項５に記載のシート積載ボックスを備えることを特徴とするシート後処理装置。
【請求項１０】
請求項６に記載のシート積載ボックスを備えることを特徴とするシート後処理装置。
【請求項１１】
請求項７に記載のシート積載ボックスを備えることを特徴とするシート後処理装置。
【発明の詳細な説明】
【技術分野】
【０００１】
本発明は、シート積載トレイを有するシート後処理装置および、それを備える画像形成装置に関するものである。
【背景技術】
【０００２】
従来、ステイプル等の後処理装置を備える画像形成装置としては、図１２に示すように画像形成装置１から排出されたシートを後処理装置２で受け取り、ステイプル等の後処理を施した後、スタックトレイ３に積載する装置があった。
【０００３】
後処理装置２では、一枚ずつ搬入される画像形成済みの用紙を処理トレイ部４に搬入し、順次、戻しローラ５でステイプラ部６方向に突き当て整合を行い、続いて幅整合板７により用紙の搬送方向と直交する方向に用紙位置を揃え、ステイプラ６により綴じ処理を行い束排出手段９によりスタックトレイ３上に積載を行う。
【０００４】
また、図１２の８は用紙束の表紙や合紙として、厚紙や画像形成済みの用紙を挿入するためのシートインサーターであり、トレイ上に予めセットしたシートを一枚ずつ分離搬送し、画像形成装置から搬送される用紙の間に挿入し、処理トレイ部４にて積載整合を行うものである。
【０００５】
図１２に示す後処理装置では、排出紙を積載するスタックトレイは上トレイ３ａ、下トレイ３ｂの２つがあり、各々独立に上下に移動が可能である。
【０００６】
この種の後処理装置では、ジョブ毎の仕分けとしてはトレイ仕分け、またはオフセット仕分けを行うのが一般的である。
【０００７】
すなわち、プリンタジョブは下トレイに、コピージョブは上トレイに自動的に排出するように設定し、それぞれジョブ毎に用紙の排出方向と直行する方向にオフセットして積載することにより、仕分けを行うものである。
【０００８】
又、別の従来例としては、例えば特許文献１をあげることが出来る。
【特許文献１】特開平０９−１８３５５８号公報
【発明の開示】
【発明が解決しようとする課題】
【０００９】
しかしながら、上記従来例に示す後処理装置は、複数のビンで仕分けを行うビンソータタイプの後処理装置と比べると大容量のシートを積載するのには適しているが、少数枚のジョブ毎の仕分けには適した装置とは言えない。
【００１０】
すなわち、ジョブ毎にオフセットして仕分けを行っても、仕分けた間の束を引き抜かれてしまうと、その上下束はオフセット状態ではなくなり、仕分けがなくなってしまう。
【００１１】
特に複数のユーザーがパソコン等のプリンタ出力機として使用している場合には、出力後に自分の用紙を取りに来る順番はまちまちであり、自分の出力紙を１つのトレイ上から探しだすのは手間を要する。
【００１２】
また、近年では各種ＯＡ機器のバリアフリー対応の進展により、非健常者がプリンタや複写機のユーザーとなっており、その操作性向上が課題となっている。
【００１３】
上記のように1つのトレイ上でオフセット仕分けのみでジョブ仕分けされた排出束から、非健常者が自分の出力紙を取り出すことは困難であり、また、車椅子のユーザーも含め、取り出した大量の出力束をそのまま持ち運ぶのは不便である。
【００１４】
そこで、本発明の目的は特定の出力ジョブのみを取り出し、持ち運びを容易にするような排紙トレイを提供することにある。
【課題を解決するための手段】
【００１５】
上記課題を解決するために、本発明は、画像形成装置より排出されたシートにステイプル等の後処理を行い排出するシート後処理装置の既存のシート積載トレイに対して、シート搬入口のみを開口し、他の面は箱状に覆われたボックス形状のシート積載ボックスを着脱自在に配置したことを特徴とする。
【００１６】
ユーザーは、上記シート積載ボックスをスタックトレイ上にセットすることにより自分の出力をボックス内に排出させ、ジョブ終了後はシート積載ボックスの把手部を持って運搬することが可能である。
【００１７】
また、ボックスのシート搬入口はシャッター構成としボックス運搬時には開口部を閉じる構成とすることにより運搬時のシートの落下を防ぐことができる。
【００１８】
また、ボックスをセットした状態でも、他のユーザーの出力はボックス上面に積載可能とすることにより従来の後処理装置の操作性を損なうことはない。
【００１９】
また、シート後処理装置および画像形成装置側にはシート積載ボックスのセットを検出する検出部を設けることにより、特定のユーザーの出力のみをボックスに搬入し、確実にジョブ仕分けを行うことが可能となる。
【発明の効果】
【００２０】
以上説明したように、シート後処理装置の既存のシート積載トレイに対して、シート搬入口のみを開口し、他の面は箱状に覆われたボックス形状のシート積載ボックスを着脱自在に配置し、ボックスには運搬用の把手部を設けることにより、車椅子のユーザーでも、上記シート積載ボックスをスタックトレイ上にセットすることにより自分の出力のみをボックス内に排出させ、ジョブ終了後はシート積載ボックスの把手部を持って運搬することが可能となる。
【００２１】
また、ボックスのシート搬入口はシャッター構成としボックス運搬時には開口部を閉じる構成とすることにより運搬時のシートの落下を防ぐことができる。
【００２２】
また、ボックスをセットした状態でも、他のユーザーの出力はボックス上面に積載可能とすることにより従来の後処理装置の操作性を損なうことはない。
【００２３】
また、シート後処理装置および画像形成装置側にはシート積載ボックスのセットを検出する検出部を設けることにより、特定のユーザーの出力のみをボックスに搬入し、確実にジョブ仕分けを行うことが可能となる。
【発明を実施するための最良の形態】
【００２４】
以下、本発明の実施の形態について図面を用いて詳細に説明する。
【００２５】
図１は本発明の第１の実施形態を表す斜視図であり、図２はその断面図を示し、図３、図４は、その詳細を示した図である。
【００２６】
図中１１は本発明によるシート積載ボックスであり、運搬用の把手部１２はボックスと一体に形成されている。
【００２７】
そして、ボックスの上面は図３、図４に示すようにシート搬入部のシャッターガイド１３と取り出し部の開閉カバー１５により覆われている。
【００２８】
シャッターガイド１３はボックス１１に対して支軸１４を中心に回動自在に取付けられ、運搬時は両端に取付けられたネジリコイルバネ１８により図３のように閉じる方向に付勢され、開口部を閉じている。
【００２９】
そして、ボックス１１に排出紙を搬入するユーザーは、図１、図２に示すように後処理装置２の既存のスタックトレイ３ａ上にボックスをセットする。
【００３０】
このとき、スタックトレイ３の上面にはボックスの有無を検出するスイッチ２５があり、ボックス１１がセットされたことを認識する。
【００３１】
上トレイ３ａには検出スイッチ２５ａが、下トレイ３ｂには検出スイッチ２５ｂが各々設けられ、積載ボックスは上下どちらのトレイにセットされても良い構成となっている。
【００３２】
また、図５に示すようにボックス１１の下面にはガイド部１９が設けられ、ユーザーはスタックトレイ３の切り欠き部にガイド部１９を係合させることにより容易にボックスをセットすることが出来る。
【００３３】
また、ボックス１１をトレイ上にセットされると、その両側面に設けられ上下方向にスライド可能なシャッター開閉レバー１７が押し上げられることにより、シャッターガイド１３が支点１４を中心に開放する。（図２、図４）
すなわち、ボックス１１をスタックトレイ３上にセットすると自動的にシャッターガイド１３が開放しボックス内へのシート搬入が可能な状態となり、ボックスをトレイから取り外すとシャッターガイドが閉じることにより、ボックスの運搬が可能な状態となる。
【００３４】
また、図６は積載ボックス１１にシートを搬入し、自席まで持ち帰った後に、シートを取り出す状態を示している。
【００３５】
すなわち、ボックス１１の上面を覆うカバー１５はヒンジ１６により開放可能となっており、ロック部２０を解除することにより図６のように開放できる。
【００３６】
次に積載ボックス１１を使用するジョブの流れを説明する。
【００３７】
例えば、ユーザーがコピージョブを行う場合、ユーザーは原稿と共に積載ボックスを持って画像形成装置の場所に来る。
【００３８】
このとき、原稿搬送用としてボックスを使用することも可能である。
【００３９】
そして、原稿を画像読取り装置にセットし、積載ボックス１１をトレイ３上にセットする。
【００４０】
そこで、積載ボックスがセットされた状態でのコピージョブはすべてボックス内に排出するように初期設定しておくことで、ユーザーが排出トレイを選択しなくても自動的にトレイ３ａの高さを制御し、図２に示すように排出ローラ９から送り出されたシートはボックス１１内に搬入される。
【００４１】
もちろん、ユーザーがコピー枚数や用紙サイズを設定するのと同時に排出トレイ選択を行うことも可能である。
【００４２】
例えば、積載ボックスがセットされた状態で、他のユーザーがコピーを行う場合には下トレイ３ｂを選択することが可能であり、また積載ボックス１１のカバー１５の上面には通紙リブが設けてあり、ボックスセット状態で上トレイ排出を選択した場合、装置はトレイ高さを制御し、ボックスの上面に排出を行う。（図７、図８）
また、非健常者を認識させる専用スイッチを画像形成装置に備え、そのスイッチを押すことにより自動的に出力紙をボックスに排出するように制御することも可能である。
【００４３】
また、ユーザーがパソコン用のプリンターとして画像形成装置を使用する場合、プリンターの出力設定として、排出トレイを積載ボックスに設定しておくことにより、例えば車椅子のユーザーがプリンター出力をする場合、その出力はユーザーが積載ボックスをセットするまで実行されないことになる。
【００４４】
すなわち、パソコンで出力ジョブ設定し、積載ボックスを持って出力機の場所まで行き、積載ボックスをセットすることにより始めて自分の出力が排出されることになり、他人の出力との仕分けが確実になる。
【００４５】
また、積載ボックスを複数のユーザーが使用する場合には、図９に示すように積載ボックス側に設けられたビットスイッチ２６をユーザー毎に設定し、トレイ上の検出手段２５によりその識別を行うことにより上記のようなジョブ仕分けが可能になる。
【００４６】
また、ファックスの受信出力機としてプリンターを使用する場合には、あらかじめ特定ユーザーへの受信出力を特定の積載ボックスに排出するように設定しておく。
【００４７】
そして、受信があり、積載ボックスがセットされていない場合にはパソコン等により通知を行い、ユーザーが積載ボックスをもって、トレイ上にセットし排出を行う。
【００４８】
また、図１０は積載ボックスを既存の上トレイ３ａの下面に取付け可能とした実施例である。
【００４９】
積載ボックス１１はその側面の突起部が、排紙トレイ３ａの下面のフック２１に係合し取付けられ、この状態で同様にシャッターガイド１３が開放するような構成となっている。
【００５０】
そして、出力トレイとして積載ボックスを選択した場合には、この開口部に排紙ローラ高さが合うようにトレイ高さ制御が行われ、排出を行う。
【００５１】
このようにトレイの下面に積載ボックスを取付けた場合には、既存のトレイが従来となんら変わりなく使用できるばかりではなく、車椅子のユーザーのように目線の低いユーザーにはボックスの着脱操作性も良いものとなる。
【００５２】
これら積載ボックスは、スタックトレイ３ａの上面、下面のどちらにも着脱可能に構成することにより、一層使い勝手のよいものとなる。
【００５３】
また、図１１は積載ボックス２２を縦型に配置したものである。
【００５４】
ボックスの取付けは、同様にスタックトレイの下面であり、フック２４をトレイの係合部に吊り下げる構成となる。
【図面の簡単な説明】
【００５５】
【図１】実施例を示す外観図。
【図２】実施例を示す断面図。
【図３】実施例の詳細斜視図。
【図４】実施例の詳細斜視図。
【図５】実施例の詳細斜視図。
【図６】実施例の詳細斜視図。
【図７】実施例の詳細斜視図。
【図８】実施例を示す断面図。
【図９】実施例の詳細斜視図。
【図１０】他の実施例を示す図。
【図１１】他の実施例を示す図。
【図１２】従来例の説明図。
【符号の説明】
【００５６】
１  画像形成装置
２  排紙後処理装置
３  スタックトレイ
６  ステイプラ
７  整合板
８  インサータ
９  排紙ローラ
１０  自動原稿送り装置
１１  シート積載ボックス
１２  把手
１３  シャッターガイド
１５  開閉カバー
１７  シャッター開閉レバー
１８  ネジリコイルバネ
１９  取付けガイド
【図１】
2006151668.tif 000003
【図２】
2006151668.tif 000004
【図３】
2006151668.tif 000005
【図４】
2006151668.tif 000006
【図５】
2006151668.tif 000007
【図６】
2006151668.tif 000008
【図７】
2006151668.tif 000009
【図８】
2006151668.tif 000010
【図９】
2006151668.tif 000011
【図１０】
2006151668.tif 000012
【図１１】
2006151668.tif 000013
【図１２】
2006151668.tif 000014